(57)【特許請求の範囲】
【請求項１】
それぞれ電力の供給を受けて動作し、少なくとも原稿の画像を読み取る画像読取部を含む複数の処理部と、
電力の供給を受けている間に、第１の検知領域に進入する物体を検知する第１検知手段と、
電力の供給を受けている間に、前記第１の検知領域よりも狭い第２の検知領域に進入する物体を検知する第２検知手段と、
電力の供給を受けている間に、前記画像読取部の原稿読み取り台に置かれた原稿を上から押さえつける圧板の開閉を検知する第３検知手段と、
電力の供給を受けている間に、前記原稿読み取り台に原稿を送る原稿送り装置に原稿が置かれたか否かを検知する第４検知手段と、
前記複数の処理部、前記第１検知手段及び前記第２検知手段への電力供給を制御する制御手段と、を含み、
前記制御手段は、節電モードの開始時において、前記複数の処理部の少なくとも一部と前記第２検知手段と、前記第３検知手段と、前記第４検知手段とへの電力供給を停止するとともに、前記第１検知手段に電力を供給し、
前記制御手段は、前記節電モードの開始後において、前記第１検知手段により前記第１の検知領域への物体の進入が検知された場合に、前記第２検知手段への電力供給を開始し、
前記制御手段は、前記節電モードの間に、前記第２検知手段により前記第２の検知領域への物体の進入が検知された場合に、前記電力供給が停止されている前記複数の処理部の少なくとも一部と、前記第３検知手段と、前記第４検知手段とへの電力供給を再開して前記節電モードを解除する
処理装置。
【請求項２】
前記複数の処理部は、ユーザからの操作を受け付ける操作受付部と、媒体に画像を形成する画像形成部と、前記操作受付部、前記画像読取部及び前記画像形成部をそれぞれ制御する制御部と、を更に含み、
前記制御手段は、前記節電モードの開始時において、前記操作受付部、前記画像読取部、前記画像形成部、及び前記制御部の少なくとも一部への電力供給を停止し、
前記制御手段は、前記節電モードの間に、前記第２検知手段により前記第２の検知領域への物体の進入が検知された場合に、前記操作受付部と前記制御部への電力供給を再開する
請求項１に記載の処理装置。
【請求項３】
前記制御手段は、前記節電モードの間に、前記第３検知手段により圧板の開閉が検知された場合に、前記画像読取部への電力供給を再開する
請求項１又は２に記載の処理装置。
【請求項４】
前記制御手段は、前記節電モードの間に、前記第４検知手段により前記原稿送り装置に原稿が置かれたことが検知された場合に、前記画像読取部への電力供給を再開する
請求項１乃至３のいずれかに記載の処理装置。
【請求項５】
前記第３検知手段と前記第４検知手段に電力供給を開始した直後における、前記第３検知手段と前記第４検知手段からの検知信号の出力を制限する制限手段をさらに含む
請求項１乃至４のいずれかに記載の処理装置。
【請求項６】
前記第１検知手段と前記第２検知手段による検知を無効化している場合には、前記制御手段は、前記節電モードの開始時において、前記第３検知手段と前記第４検知手段への電力を供給し、
前記制御手段は、前記節電モードの間に、前記第３検知手段又は前記第４検知手段による検知が行われた場合に、前記複数の処理部への電力供給を再開して前記節電モードを解除する
請求項１乃至５のいずれかに記載の処理装置。
【請求項７】
前記制御手段は、前記節電モードの間に、前記第２検知手段により前記第２の検知領域への物体の進入が検知された場合に、前記画像形成部の制御回路に電力を供給して初期立ち上げ処理を実行させる
請求項２に記載の処理装置。
【請求項８】
それぞれ電力の供給を受けて動作し、少なくとも原稿の画像を読み取る画像読取部を含む複数の処理部と、
電力の供給を受けている間に、第１の検知領域に進入する物体を検知する第１検知手段と、
電力の供給を受けている間に、前記第１の検知領域よりも狭い第２の検知領域に進入する物体を検知する第２検知手段と、
電力の供給を受けている間に、前記画像読取部の原稿読み取り台に置かれた原稿を上から押さえつける圧板の開閉を検知する第３検知手段と、
電力の供給を受けている間に、前記原稿読み取り台に原稿を送る原稿送り装置に原稿が置かれたか否かを検知する第４検知手段と、
前記複数の処理部、前記第１検知手段及び前記第２検知手段への電力供給を制御する制御手段としてコンピュータを機能させるためのプログラムであって、
前記制御手段は、節電モードの開始時において、前記複数の処理部の少なくとも一部と前記第２検知手段と、前記第３検知手段と、前記第４検知手段とへの電力供給を停止するとともに、前記第１検知手段に電力を供給し、
前記制御手段は、前記節電モードの開始後において、前記第１検知手段により前記第１の検知領域への物体の進入が検知された場合に、前記第２検知手段への電力供給を開始し、
前記制御手段は、前記節電モードの間に、前記第２検知手段により前記第２の検知領域への物体の進入が検知された場合に、前記電力供給が停止されている前記複数の処理部の少なくとも一部と、前記第３検知手段と、前記第４検知手段とへの電力供給を再開して前記節電モードを解除する
プログラム。
【発明の詳細な説明】
【技術分野】
【０００１】
本発明は、処理装置及びプログラムに関する。
【背景技術】
【０００２】
複数の機能を備える装置において、利用していない機能については電力の供給を停止して消費電力を抑えることがある（例えば特許文献１を参照）。
【先行技術文献】
【特許文献】
【０００３】
【特許文献１】特開２００３−１８９０１８号公報
【発明の概要】
【発明が解決しようとする課題】
【０００４】
本発明の目的は、節電モード時の電力消費を抑えることができる処理装置及びプログラムを提供することにある。
【課題を解決するための手段】
【０００５】
請求項１に係る発明は、それぞれ電力の供給を受けて動作する複数の処理部と、電力の供給を受けている間に、第１の検知領域に進入する物体を検知する第１検知手段と、電力の供給を受けている間に、前記第１の検知領域よりも狭い第２の検知領域に進入する物体を検知する第２検知手段と、前記複数の処理部、前記第１検知手段及び前記第２検知手段への電力供給を制御する制御手段と、を含み、前記制御手段は、節電モードの開始時において、前記複数の処理部の少なくとも一部と前記第２検知手段への電力供給を停止するとともに、前記第１検知手段に電力を供給し、前記制御手段は、前記節電モードの開始後において、前記第１検知手段により前記第１の検知領域への物体の進入が検知された場合に、前記第２検知手段への電力供給を開始し、前記制御手段は、前記節電モードの間に、前記第２検知手段により前記第２の検知領域への物体の進入が検知された場合に、前記電力供給が停止されている前記複数の処理部の少なくとも一部への電力供給を再開して前記節電モードを解除する処理装置である。
【０００６】
請求項２に係る発明は、前記複数の処理部は、ユーザからの操作を受け付ける操作受付部と、原稿の画像を読み取る画像読取部と、媒体に画像を形成する画像形成部と、前記操作受付部、前記画像読取部及び前記画像形成部をそれぞれ制御する制御部と、を含み、前記制御手段は、前記節電モードの開始時において、前記操作受付部、前記画像読取部、前記画像形成部、及び前記制御部の少なくとも一部と前記第２検知手段への電力供給を停止するとともに、前記第１検知手段に電力を供給し、前記制御手段は、前記節電モードの間に、前記第２検知手段により前記第２の検知領域への物体の進入が検知された場合に、前記操作受付部と前記制御部への電力供給を再開する請求項１に記載の処理装置である。
【０００７】
請求項３に係る発明は、電力の供給を受けている間に、前記画像読取部の原稿読み取り台に置かれた原稿を上から押さえつける圧板の開閉を検知する第３検知手段と、電力の供給を受けている間に、前記原稿読み取り台に原稿を送る原稿送り装置に原稿が置かれたか否かを検知する第４検知手段と、をさらに含み、前記制御手段は、前記節電モードの開始時において、前記操作受付部、前記画像読取部、前記画像形成部、及び前記制御部の少なくとも一部と、前記第２検知手段、前記第３検知手段、及び前記第４検知手段への電力供給を停止し、前記制御手段は、前記節電モードの開始後において、前記第１検知手段により前記第１の検知領域への物体の進入が検知された場合に、前記第２検知手段、前記第３検知手段、及び前記第４検知手段への電力供給を開始する請求項２に記載の処理装置である。
【０００８】
請求項４に係る発明は、前記制御手段は、第１検知手段により前記第１の検知領域への物体の進入が検知された場合に、前記第２検知手段への電力供給を開始し、前記第２検知手段により前記第２の検知領域への物体の進入が検知された場合に、前記第３検知手段、及び前記第４検知手段への電力供給を開始する請求項２に記載の処理装置である。
【０００９】
請求項５に係る発明は、前記制御手段は、前記節電モードの間に、前記第３検知手段により圧板の開閉が検知された場合に、前記画像読取部への電力供給を再開する請求項３又は４に記載の処理装置である。
【００１０】
請求項６に係る発明は、前記制御手段は、前記節電モードの間に、前記第４検知手段により前記原稿送り装置に原稿が置かれたことが検知された場合に、前記画像読取部への電力供給を再開する請求項３又は４に記載の処理装置である。
【００１１】
請求項７に係る発明は、前記第３検知手段と前記第４検知手段に電力供給を開始した直後における、前記第３検知手段と前記第４検知手段からの検知信号の出力を制限する制限手段をさらに含む請求項３乃至６のいずれかに記載の処理装置である。
【００１２】
請求項８に係る発明は、前記第１検知手段と前記第２検知手段による検知を無効化している場合には、前記制御手段は、前記節電モードの開始時において、前記第３検知手段と前記第４検知手段への電力を供給し、前記制御手段は、前記節電モードの間に、前記第３検知手段又は前記第４検知手段による検知が行われた場合に、前記操作受付部、前記制御部、及び前記画像読取部への電力供給を再開して前記節電モードを解除する請求項３乃至７のいずれかに記載の処理装置である。
【００１３】
請求項９に係る発明は、前記制御手段は、前記節電モードの間に、前記第２検知手段により前記第２の検知領域への物体の進入が検知された場合に、前記画像形成部の制御回路に電力を供給して初期立ち上げ処理を実行させる請求項３乃至８のいずれかに記載の処理装置である。
【００１４】
請求項１０に係る発明は、それぞれ電力の供給を受けて動作する複数の処理部と、電力の供給を受けている間に、第１の検知領域に進入する物体を検知する第１検知手段と、電力の供給を受けている間に、前記第１の検知領域よりも狭い第２の検知領域に進入する物体を検知する第２検知手段と、前記複数の処理部、前記第１検知手段及び前記第２検知手段への電力供給を制御する制御手段としてコンピュータを機能させるためのプログラムであって、前記制御手段は、節電モードの開始時において、前記複数の処理部の少なくとも一部と前記第２検知手段への電力供給を停止するとともに、前記第１検知手段に電力を供給し、前記制御手段は、前記節電モードの開始後において、前記第１検知手段により前記第１の検知領域への物体の進入が検知された場合に、前記第２検知手段への電力供給を開始し、前記制御手段は、前記節電モードの間に、前記第２検知手段により前記第２の検知領域への物体の進入が検知された場合に、前記電力供給が停止されている前記複数の処理部の少なくとも一部への電力供給を再開して前記節電モードを解除するプログラムである。
【発明の効果】
【００１５】
請求項１及び１０に係る発明によれば、節電モード時の電力消費を抑えることができる。
【００１６】
請求項２に係る発明によれば、処理装置を操作する可能性が高い利用者が検知された場合には節電モードを解除できる。
【００１７】
請求項３に係る発明によれば、処理装置に近づく利用者が検知できない場合には、画像読取機能の利用を検知する検知機能を動作させずに電力消費を抑えることができる。
【００１８】
請求項４に係る発明によれば、処理装置を操作する可能性が高い利用者が検知されるまで画像読取部の利用を検知する機能を動作させずに電力消費を抑えることができる。
【００１９】
請求項５に係る発明によれば、画像読取機能が利用される可能性が高いことを検知した場合に、画像読取部の節電状態を解除できる。
【００２０】
請求項６に係る発明によれば、画像読取機能の利用を検知した場合に、画像読取部の節電状態を解除できる。
【００２１】
請求項７に係る発明によれば、電力投入直後の誤検出を回避できる。
【００２２】
請求項８に係る発明によれば、処理装置に近づく利用者の検知機能を無効化している場合には、画像読取機能の利用の検知結果に基づいて節電状態を解除できる。
【００２３】
請求項９に係る発明によれば、本構成を有さない場合と比較して、画像形成部の節電状態からの復帰までの時間を短縮できる。
【図面の簡単な説明】
【００２４】
【図１】第１の実施形態に係る画像形成装置の電源システムの構成図である。
【図２】コントローラの構成図である。
【図３】電源制御回路に設けられるマスク回路を説明する図である。
【図４】節電モードへの移行処理のフロー図である。
【図５】節電モード時における処理のフロー図である。
【図６】節電モード時における処理のフロー図である。
【図７】第２の実施形態に係る画像形成装置の電源システムの構成図である。
【図８】節電モードへの移行処理のフロー図である。
【図９】節電モード時における処理のフロー図である。
【発明を実施するための形態】
【００２５】
以下、本発明を実施するための実施の形態（以下、実施形態という）を、図面を参照しながら説明する。
【００２６】
［１．第１の実施形態］
まず、図１〜図６を参照しながら、本発明の第１の実施形態に係る画像形成装置１について説明する。
【００２７】
［１−１．画像形成装置１の電源システム］
図１には、第１の実施形態に係る画像形成装置１の電源システムの構成を示した。図１に示される、画像形成装置１の電源システムは、画像形成装置１に備えられる複数の機能を実現するそれぞれのハードウェアに対する電力供給を制御するシステムである。
【００２８】
図１に示されるように、画像形成装置１は、ハードウェアとして、電源Ｅ１、電源Ｅ２、コントローラ１０、操作パネル２０、画像読取部３０（スキャナ装置）、画像形成部４０（印刷装置）、第１人感センサーＳ１、第２人感センサーＳ２、原稿検知センサーＳ３、圧板センサーＳ４を備える。画像形成装置１は、コンセント口に差し込まれた電源プラグＰを介して交流電源ＡＣから電力供給を受ける。
【００２９】
電源Ｅ１は、コントローラ１０に駆動電力を供給する。電源Ｅ１は、メインスイッチＳＷ−ＭがＯＮ（導通）となると、交流電源ＡＣに接続された状態となる。そして、電源Ｅ１は、交流電源ＡＣから供給される交流電力を直流電力に変換してコントローラ１０側へ出力する。
【００３０】
電源Ｅ２は、コントローラ１０以外の操作パネル２０、画像読取部３０、画像形成部４０に駆動電力を供給する。電源Ｅ２は、メインスイッチＳＷ−ＭがＯＮ（導通）となり、さらにスイッチＳＷ−１がＯＮ（導通）になると、交流電源ＡＣに接続された状態となる。そして、電源Ｅ２は、交流電源ＡＣに接続された状態において、スイッチＳＷ−２がＯＮになっている場合には、操作パネル２０に電力を供給し、スイッチＳＷ−３がＯＮになっている場合には、画像読取部３０に電力を供給し、スイッチＳＷ−４がＯＮになっている場合には、画像形成部４０に電力を供給する。
【００３１】
コントローラ１０は、メインスイッチＳＷ−ＭがＯＮ（導通）になると、電源Ｅ１から駆動電力の供給を受け、画像形成装置１の各部を制御するとともに、操作パネル２０、画像読取部３０、画像形成部４０、第１人感センサーＳ１、第２人感センサーＳ２、原稿検知センサーＳ３、圧板センサーＳ４のそれぞれへの電力供給を制御する制御ユニットである。なお、コントローラ１０の構成の詳細については後述する。
【００３２】
操作パネル２０は、例えば液晶ディスプレイ装置等の表示部と、ボタンやタッチパネル等の入力受付部とを備え、操作画面を表示部に表示するとともに、入力受付部によりユーザからの操作入力を受け付ける操作インターフェースである。操作パネル２０は、メインスイッチＳＷ−Ｍ、スイッチＳＷ−１、スイッチＳＷ−２の全てがＯＮである場合に電力が供給される。
【００３３】
画像読取部３０は、原稿のイメージを読み取るイメージスキャナである。画像読取部３０は、原稿台と、原稿台に置かれた原稿の画像に対して光を照射しながら走査する走査系と、走査系の走査によって原稿に照射された光を受光して信号に変換するＣＣＤ等の受光素子とを備える。また、画像読取部３０は、自動原稿送り装置を備え、自動原稿送り装置に置かれた１以上の原稿を、１枚ずつ原稿台に送って、送られた原稿のイメージを順次読み取ることとしてよい。
【００３４】
画像形成部４０は、印刷用紙（媒体）に画像を形成するプリンタである。画像形成部４０は、画像読取部３０で読み取られたイメージを印刷用紙に形成する処理（コピー）と、外部デバイスから取得したイメージを印刷用紙に形成する処理（プリント）とを実行することとしてよい。
【００３５】
第１人感センサーＳ１は、例えば焦電素子を用いた赤外線センサー等により実現され、検知領域内に人体（物体）が存在するか否かを検知するセンサーである。第１人感センサーＳ１は、後述する第２人感センサーＳ２よりも人体の検知領域が広く、画像形成装置１に人体が近づいている状態を検出するようになっている。例えば、第１人感センサーＳ１の検知領域は、例えば画像形成装置１から２〜３ｍ程度としてよい。
【００３６】
第２人感センサーＳ２は、例えば投光部から発射された光に対する反射光を受光する反射型センサー等により実現され、検知領域内に人体(物体)が存在するか否かを検知するセンサーである。第２人感センサーＳ２は、第１人感センサーＳ１よりも人体の検知領域が狭く、画像形成装置１を操作しようとする状態を検出するようになっている。例えば、第２人感センサーＳ２の検知領域は、例えば画像形成装置１から０．５ｍ以内程度としてよい。
【００３７】
原稿検知センサーＳ３は、自動紙送り装置に設けられ、自動紙送り装置に原稿が置かれているか否かを検知するセンサーである。
【００３８】
圧板センサーＳ４は、原稿台に置かれた原稿を上から押さえつける圧板の開閉を検知するセンサーである。
【００３９】
ここで、コントローラ１０による電力供給制御について説明する。コントローラ１０は、電源Ｅ２への電力供給を制御するスイッチＳＷ−１、電源Ｅ２から操作パネル２０への電力供給を制御するスイッチＳＷ−２、電源Ｅ２から画像読取部３０への電力供給を制御するスイッチＳＷ−３、電源Ｅ２から画像形成部４０への電力供給を制御するスイッチＳＷ−４のそれぞれのＯＮ（導通）とＯＦＦ（切断）を制御する制御信号を各スイッチに出力することで、スイッチＳＷ−１〜４のそれぞれのＯＮとＯＦＦとを制御する。
【００４０】
また、コントローラ１０は、第１人感センサーＳ１への電力供給を制御するスイッチＳＷ−Ｓ１、第２人感センサーＳ２への電力供給を制御するスイッチＳＷ−Ｓ２、原稿検知センサーＳ３への電力供給を制御するスイッチＳＷ−Ｓ３、圧板センサーＳ４への電力供給を制御するスイッチＳＷ−Ｓ４のそれぞれのＯＮ（導通）とＯＦＦ（切断）を制御する制御信号を各スイッチに出力することで、スイッチＳＷ−Ｓ１〜Ｓ４のそれぞれのＯＮとＯＦＦとを制御する。
【００４１】
［１−２．画像形成装置１のコントローラ１０］
次に、図２を参照しながら、コントローラ１０の構成の詳細について説明する。
【００４２】
図２に示されるように、コントローラ１０は、ＣＰＵ１００、ＤＲＡＭ１０１、ＲＯＭ１０２、ＨＤＤ１０３、ネットワークインターフェース１０４、電源制御回路１０５、Ｉ／Ｏ回路１０６を備える。
【００４３】
ＣＰＵ１００は、コントローラ１０の各部を制御する中央処理装置である。
【００４４】
ＤＲＡＭ１０１は、コントローラ１０のメインメモリとして用いられ、データやプログラムが記憶される揮発性メモリである。例えば、ＣＰＵ１００は、ＲＯＭ１０２に格納されたプログラムをＤＲＡＭ１０１にコピーすることとしてよい。
【００４５】
ＲＯＭ１０２は、例えばコントローラ１０のプログラムを格納した不揮発性メモリである。
【００４６】
ＨＤＤ１０３は、コントローラ１０の補助記憶装置として用いられる磁気記憶装置である。例えば、ＨＤＤ１０３には、画像形成装置１が読み取ったイメージデータや、外部デバイスから受け付けたジョブのデータ等を記憶することとしてよい。
【００４７】
ネットワークインターフェース１０４は、例えばネットワークインターフェース１０４カード（ＮＩＣ）を含み、ＮＩＣを介してネットワークに接続された他のデバイス（例えば情報端末１０００）と通信する。
【００４８】
電源制御回路１０５は、第１人感センサーＳ１、第２人感センサーＳ２、原稿検知センサーＳ３、圧板センサーＳ４のそれぞれへの電力供給を制御する（すなわち、第１人感センサーＳ１、第２人感センサーＳ２、原稿検知センサーＳ３、圧板センサーＳ４のそれぞれのＯＮ／ＯＦＦを制御する）とともに、第１人感センサーＳ１、第２人感センサーＳ２、原稿検知センサーＳ３、圧板センサーＳ４のそれぞれからの検知信号を受信する。また、電源制御回路１０５は、画像形成装置１に備えられた節電ボタン５０と接続され、節電ボタン５０のＯＮ／ＯＦＦの入力を受け付ける。なお、電源制御回路１０５と節電ボタン５０とを接続する回路には、プルアップ抵抗１１０が設けられる。
【００４９】
ここで電源制御回路１０５において、原稿検知センサーＳ３と圧板センサーＳ４のそれぞれと接続する回路には、原稿検知センサーＳ３（又は圧板センサーＳ４）をＯＦＦからＯＮに切り替えた直後に発生するノイズ信号が電源制御回路１０５に入力されることで誤検出が発生することを防止するためのマスク回路を設けることとしてよい。ここで、電源制御回路１０５に設けられるマスク回路について図３を参照しながら説明する。なお、図３には、原稿検知センサーＳ３に対してマスク回路２００を設けた例を説明しているが、圧板センサーＳ４に対しても同様にマスク回路２００を設けることとしてもよいのはもちろんである。
【００５０】
図３に示されるように、電源制御回路１０５は、電源Ｅ１Ａから電力が供給される原稿検知センサーＳ３からの検知信号が入力されるラインにプルアップ抵抗１２０が設けられ、プルアップ抵抗１２０が設けられたラインは、トランジスタ１２１のベースに入力される。そして、トランジスタ１２１のエミッタ側はアースに接続され、トランジスタ１２１のコレクタに接続されたラインには、プルアップ抵抗１２２とインバータ１２３が接続される。
【００５１】
また、電源制御回路１０５には、トランジスタ１２１のコレクタと、プルアップ抵抗１２２との間と、電源Ｅ１Ａとの間とを接続するマスク回路２００が設けられる。具体的には、マスク回路２００は、ダイオード２０１、抵抗２０２、コンデンサ２０３、抵抗２０４、シュミットトリガインバータ２０５、トランジスタ２０６を備える。そして、マスク回路２００により、電源Ｅ１Ａから原稿検知センサーＳ３への電力投入が開始された直後の、原稿検知センサーＳ３からの出力信号をインバータ１２３側に出力しないようにすることができる。なお、図３に示したマスク回路２００の例は、コンデンサと抵抗とを利用した回路としたが、リセット発生デバイスを用いて、原稿検知センサーＳ３（圧板センサーＳ４）への電源投入直後の出力信号をマスクするようにしてもよい。
【００５２】
Ｉ／Ｏ回路１０６は、操作パネル２０、画像形成部４０、画像読取部３０と接続し、操作パネル２０、画像形成部４０、画像読取部３０とデータ通信する。また、Ｉ／Ｏ回路１０６は、ＵＩインターフェース１０６Ａ、ビデオインターフェース１０６Ｂ、スキャンインターフェース１０６Ｃを備え、ＵＩインターフェース１０６Ａを介して操作パネル２０と通信し、ビデオインターフェース１０６Ｂを介して画像形成部４０と通信し、スキャンインターフェース１０６Ｃを介して画像読取部３０と通信することとしてよい。
【００５３】
［１−３．処理の詳細の説明］
本実施形態に係る画像形成装置１は、節電ボタン５０が押下された場合、又は、予め設定された時間使用されなかった場合に、節電モードに切り替わることとしてよい。次に、節電モードに移行する際、及び節電モードの間における処理の詳細について、図４〜図６に示したフロー図を参照しながら説明する。
【００５４】
［１−３−１．節電モードへの移行処理］
まず、図４に示したフロー図を参照しながら、節電モードへの移行処理の詳細について説明する。
【００５５】
図４に示されるように、画像形成装置１は、例えば通常動作時において、節電モードに移行するか否かを判定し（Ｓ１０１）、節電モードに移行しない場合には（Ｓ１０１：Ｎ）、通常動作を継続する。また、画像形成装置１は、節電モードに移行する場合には（Ｓ１０１：Ｙ）、Ｓ１０２に進む。なお、画像形成装置１は、節電ボタン５０が押下された場合、又は、予め設定された時間使用されなかった場合に、節電モードに移行すると判定することとしてよい。
【００５６】
画像形成装置１は、節電モードに移行する場合には（Ｓ１０１：Ｙ）、操作パネル２０、画像読取部３０、画像形成部４０の機能を停止させた後に（Ｓ１０２）、スイッチＳＷ−１〜４をＯＦＦに切り替えて（Ｓ１０３）、操作パネル２０、画像読取部３０、画像形成部４０への通電を停止する。
【００５７】
ここで、画像形成装置１は、人感センサーが有効に設定されている（すなわち無効化されていない）場合には（Ｓ１０４：Ｙ）、スイッチＳＷ−Ｓ１のみをＯＮ、スイッチＳＷ−Ｓ２〜Ｓ４をＯＦＦに設定して（Ｓ１０５）、第１人感センサーＳ１以外の他のセンサーへの通電を停止する。
【００５８】
また、画像形成装置１は、人感センサーが有効に設定されていない（すなわち無効化されている）場合には（Ｓ１０４：Ｎ）、スイッチＳＷ−Ｓ１，スイッチＳＷ−Ｓ２をそれぞれＯＦＦ、スイッチＳＷ−Ｓ３，Ｓ４をそれぞれＯＮに設定して（Ｓ１０６）、原稿検知センサーＳ３と圧板センサーＳ４以外の他のセンサーへの通電を停止する。
【００５９】
次に、画像形成装置１は、コントローラ１０を節電モードに移行させる（Ｓ１０７）。具体的には、画像形成装置１は、コントローラ１０の節電モードにおいては、コントローラ１０の電源制御回路１０５、ネットワークインターフェース１０４、セルフリフレッシュ状態のＤＲＡＭ１０１、ＣＰＵ１００の一部に通電し、それ以外の部分への通電を停止するようにしてよい。
【００６０】
画像形成装置１は、節電モードに移行後に、人感センサーによる検知信号を受け付けたり、ネットワークインターフェース１０４により処理データを受け付けたりすることにより、節電モードを解除する場合には（Ｓ１０８：Ｙ）、Ｓ１０１に戻り、それ以降の処理を実行する。
【００６１】
また、画像形成装置１は、節電モードを解除しない場合であって（Ｓ１０８：Ｎ）、電源をＯＦＦしないときには（Ｓ１０９：Ｎ）、Ｓ１０８に戻り、電源をＯＦＦするときには（Ｓ１０９：Ｙ）、電源をＯＦＦして処理を終了する。
【００６２】
［１−３−２．節電モード時の処理１］
次に、節電モードにある場合において画像形成装置１が実行する処理について図５及び図６に示したフロー図を参照しながら説明する。
【００６３】
まず、図５に示したフロー図を参照しながら、節電モード時において画像形成装置１が実行する第１の処理について説明する。
【００６４】
図５に示されるように、画像形成装置１は、節電モードにない場合には（Ｓ２０１：Ｎ）、処理を抜けて図４のＳ１０１に戻り、節電モードにある場合には（Ｓ２０１：Ｙ）、Ｓ２０２に進む。
【００６５】
画像形成装置１は、Ｓ２０２において、第１人感センサーＳ１がＯＮである（すなわち、人感センサーが有効である）場合には（Ｓ２０２：Ｙ）、Ｓ２０３に進む。
【００６６】
画像形成装置１は、Ｓ２０３において、第１人感センサーＳ１が人を検知した（すなわち検知信号を出力した）場合には（Ｓ２０３：Ｙ）、Ｓ２０４に進み、第１人感センサーＳ１が人を検知していない（すなわち検知信号を出力していない）場合には（Ｓ２０３：Ｎ）、Ｓ２０３の判定を継続する。
【００６７】
画像形成装置１は、第１人感センサーＳ１が人を検知した（すなわち検知信号を出力した）場合には（Ｓ２０３：Ｙ）、スイッチＳＷ−Ｓ２〜Ｓ４をＯＮに切り替えて（Ｓ２０４）、通電が停止されていた第２人感センサーＳ２、原稿検知センサーＳ３、圧板センサーＳ４のそれぞれへの通電を開始して動作状態に更新する。
【００６８】
次に、画像形成装置１は、動作状態にある第２人感センサーＳ２が人を検知した（すなわち検知信号を出力した）場合には（Ｓ２０５：Ｙ）、Ｓ２０６に進み、第２人感センサーＳ２が人を検知していない（すなわち検知信号を出力していない）場合には（Ｓ２０５：Ｎ）、Ｓ２０５の判定を継続する。
【００６９】
画像形成装置１は、第２人感センサーＳ２が人を検知した（すなわち検知信号を出力した）場合には（Ｓ２０５：Ｙ）、コントローラ１０の節電モードを解除するとともに、スイッチＳＷ−１とスイッチＳＷ−２をＯＮに切り替えて、操作パネル２０をＯＮ（すなわち通電状態に）する（Ｓ２０６）。なお、コントローラ１０の節電モードの解除は、コントローラ１０のうち通電が停止されていたハードウェアについても通電を開始することで行うこととしてよい。
【００７０】
次に、画像形成装置１は、動作状態にある原稿検知センサーＳ３又は圧板センサーＳ４が検知信号を出力した場合には（Ｓ２０７：Ｙ）、Ｓ２０８に進み、原稿検知センサーＳ３又は圧板センサーＳ４が検知信号を出力していない場合には（Ｓ２０７：Ｎ）、Ｓ２０７の判定を継続する。
【００７１】
画像形成装置１は、動作状態にある原稿検知センサーＳ３又は圧板センサーＳ４が検知信号を出力した場合には（Ｓ２０７：Ｙ）、スイッチＳＷ−３をＯＮに切り替えて、画像読取部３０をＯＮ（すなわち通電状態に）する（Ｓ２０８）。
【００７２】
また、画像形成装置１は、Ｓ２０２において、第１人感センサーＳ１がＯＮでない（すなわち、人感センサーが無効化されている）場合には（Ｓ２０２：Ｎ）、Ｓ２０９に進む。
【００７３】
画像形成装置１は、Ｓ２０９において、原稿検知センサーＳ３又は圧板センサーＳ４が検知信号を出力した場合には（Ｓ２０９：Ｙ）、Ｓ２１０に進み、原稿検知センサーＳ３又は圧板センサーＳ４が検知信号を出力していない場合には（Ｓ２０９：Ｎ）、Ｓ２０９の判定を継続する。
【００７４】
画像形成装置１は、Ｓ２０９において、原稿検知センサーＳ３又は圧板センサーＳ４が検知信号を出力した場合には（Ｓ２０９：Ｙ）、コントローラ１０の節電モードを解除するとともに、スイッチＳＷ−１〜３をＯＮに切り替えて、操作パネル２０、画像読取部３０をＯＮ（すなわち通電状態に）する（Ｓ２１０）。
【００７５】
画像形成装置１は、Ｓ２０８の後又はＳ２１０の後に、操作パネル２０を介して操作を受け付け（Ｓ２１１）、受け付けた操作がコピー操作である場合には（Ｓ２１２：Ｙ）、スイッチＳＷ−４をＯＮに切り替えて、画像形成部４０をＯＮ（すなわち通電状態）にし（Ｓ２１３）、コピー処理を実行し（Ｓ２１４）、受け付けた操作がコピー操作でない場合には（Ｓ２１２：Ｎ）、画像形成部４０をＯＦＦにしたまま、受け付けた操作に基づく処理を実行する（Ｓ２１４）。そして、画像形成装置１は、処理実行後には、図４のＳ１０１に戻る。
【００７６】
なお、図５のフロー図において、第２人感センサーＳ２による検知の前に、原稿検知センサーＳ３又は厚板センサーからの検知信号が出力された場合には、コントローラ１０の節電モードを解除するとともに、スイッチＳＷ−１〜３をＯＮに切り替えて、操作パネル２０、画像読取部３０をＯＮ（すなわち通電状態に）することとしてよい。
【００７７】
また、図５のフロー図において、第２人感センサーＳ２、原稿検知センサーＳ３、圧板センサーＳ４をＯＮに切り替えた後、各センサーからの検知信号が無くなった状態が予め定められた時間継続した場合には、再びスイッチＳＷ−Ｓ２〜Ｓ４をオフに切り替えることとしてもよい。
【００７８】
［１−３−３．節電モード時の処理２］
次に、図６に示したフロー図を参照しながら、節電モードにある場合において画像形成装置１が実行する第１の処理について説明する。
【００７９】
図６に示されるように、画像形成装置１は、画像形成装置１は、節電モードにない場合には（Ｓ３０１：Ｎ）、処理を抜けて図４のＳ１０１に戻り、節電モードにある場合には（Ｓ３０１：Ｙ）、Ｓ３０２に進む。
【００８０】
画像形成装置１は、Ｓ３０２において、ネットワークインターフェース１０４を介してプリント指示を受信した場合には（Ｓ３０２：Ｙ）、Ｓ３０３に進み、ネットワークインターフェース１０４を介してプリント指示を受信していない場合には（Ｓ３０２：Ｎ）、Ｓ３０２の判定を継続する。
【００８１】
画像形成装置１はネットワークインターフェース１０４を介してプリント指示を受信した場合には（Ｓ３０２：Ｙ）、コントローラ１０の節電モードを解除するとともに、スイッチＳＷ−１とスイッチＳＷ−４をＯＮに切り替えて、画像形成部４０をＯＮ（すなわち通電状態に）する（Ｓ３０３）。
【００８２】
画像形成装置１は、動作状態にある画像形成部４０により、受信したプリント指示に基づく印刷処理を実行する（Ｓ３０４）。そして、画像形成装置１は、処理実行後には、図４のＳ１０１に戻る。
【００８３】
以上が、第１の実施形態に係る画像形成装置１により実行される処理の一例である。第１の実施形態に係る画像形成装置１によれば、節電モード時に通電されるセンサーの数が１つとなるため消費電力を抑えることができる。また、第１の実施形態に係る画像形成装置１によれば、節電モード時に起動しているセンサーの検知信号に応じて他のセンサーを起動し、起動したセンサーの検知信号により必要とされている機能のみを起動させることができる。
【００８４】
［２．第２の実施形態］
次に、本発明の第２の実施形態について説明する。第２の実施形態は、第１の実施形態に係る画像形成装置１に対し、画像形成部４０の制御部への通電を制御するスイッチＳＷ−５を追加した点で相違しているが、他の点では共通しているため、共通点の説明は省略し、以下相違点について説明する。
【００８５】
［２−１．画像形成装置１の電源システム］
図７には、第２の実施形態に係る画像形成装置１の電源システムの一部を示した。図７においては、第１の実施形態からの相違点である画像形成部４０に関する電源システム部分を表示している。
【００８６】
図７に示されるように、第２の実施形態に係る画像形成装置１では、画像形成部４０には、画像形成部４０を制御する制御部４００、画像形成機能を実現するプリントエンジン４１０に加えて、電源切替回路４２０が設けられる。なお、制御部４００は、ＣＰＵ４０１、ＤＲＡＭ４０２、ＲＯＭ４０３を含む。
【００８７】
また、画像形成装置１には、電源Ｅ１から画像形成部４０の電源切替回路４２０への電力供給のＯＮ／ＯＦＦを制御するスイッチＳＷ−５が設けられる。スイッチＳＷ−５は、コントローラ１０からの制御信号に基づいてＯＮ／ＯＦＦが切り替えられる。
【００８８】
ここで、スイッチＳＷ−５がＯＮとなった場合には、電源切替回路４２０は、電源Ｅ１から供給される電力を制御部４００に供給し、プリントエンジン４１０には供給しない。また、スイッチＳＷ−４がＯＮとなった場合には、電源Ｅ２から供給される電力をプリントエンジン４１０に供給するとともに、電源切替回路４２０は電源Ｅ２から供給される電力を制御部４００に供給するようにする。
【００８９】
［２−２．処理の詳細の説明］
次に、第２の実施形態に係る画像形成装置１において、節電モードに移行する際、及び節電モードの間における処理の詳細について、図８及び図９に示したフロー図を参照しながら説明する。
【００９０】
［２−２−１．節電モードへの移行処理］
図８に示されるように、画像形成装置１は、例えば通常動作時において、節電モードに移行するか否かを判定し（Ｓ４０１）、節電モードに移行しない場合には（Ｓ４０１：Ｎ）、通常動作を継続する。また、画像形成装置１は、節電モードに移行する場合には（Ｓ４０１：Ｙ）、Ｓ４０２に進む。なお、画像形成装置１は、節電ボタン５０が押下された場合、又は、予め設定された時間使用されなかった場合に、節電モードに移行すると判定することとしてよい。
【００９１】
画像形成装置１は、節電モードに移行する場合には（Ｓ４０１：Ｙ）、操作パネル２０、画像読取部３０、画像形成部４０の機能を停止させた後に（Ｓ４０２）、スイッチＳＷ−１〜５をＯＦＦに切り替えて（Ｓ４０３）、操作パネル２０、画像読取部３０、画像形成部４０への通電を停止する。
【００９２】
ここで、画像形成装置１は、人感センサーが有効に設定されている（すなわち無効化されていない）場合には（Ｓ４０４：Ｙ）、スイッチＳＷ−Ｓ１のみをＯＮ、スイッチＳＷ−Ｓ２〜Ｓ４をＯＦＦに設定して（Ｓ４０５）、第１人感センサーＳ１以外の他のセンサーへの通電を停止する。
【００９３】
また、画像形成装置１は、人感センサーが有効に設定されていない（すなわち無効化されている）場合には（Ｓ４０４：Ｎ）、スイッチＳＷ−Ｓ１，スイッチＳＷ−Ｓ２をそれぞれＯＦＦ、スイッチＳＷ−Ｓ３，Ｓ４をそれぞれＯＮに設定して（Ｓ４０６）、原稿検知センサーＳ３と圧板センサーＳ４以外の他のセンサーへの通電を停止する。
【００９４】
次に、画像形成装置１は、コントローラ１０を節電モードに移行させる（Ｓ４０７）。具体的には、画像形成装置１は、コントローラ１０の節電モードにおいては、コントローラ１０の電源制御回路１０５、ネットワークインターフェース１０４、セルフリフレッシュ状態のＤＲＡＭ１０１、ＣＰＵ１００の一部に通電し、それ以外の部分への通電を停止するようにしてよい。
【００９５】
画像形成装置１は、節電モードに移行後に、人感センサーによる検知信号を受け付けたり、ネットワークインターフェース１０４により処理データを受け付けたりすることにより、節電モードを解除する場合には（Ｓ４０８：Ｙ）、Ｓ４０１に戻り、それ以降の処理を実行する。
【００９６】
また、画像形成装置１は、節電モードを解除しない場合であって（Ｓ４０８：Ｎ）、電源をＯＦＦしないときには（Ｓ４０９：Ｎ）、Ｓ４０８に戻り、電源をＯＦＦするときには（Ｓ４０９：Ｙ）、電源をＯＦＦして処理を終了する。
【００９７】
［２−２−２．節電モード時の処理］
次に、節電モードにある場合において第２の実施形態に係る画像形成装置１が実行する処理について図９に示したフロー図を参照しながら説明する。
【００９８】
図９に示されるように、画像形成装置１は、節電モードにない場合には（Ｓ５０１：Ｎ）、処理を抜けて図８のＳ４０１に戻り、節電モードにある場合には（Ｓ５０１：Ｙ）、Ｓ５０２に進む。
【００９９】
画像形成装置１は、Ｓ５０２において、第１人感センサーＳ１がＯＮである（すなわち、人感センサーが有効である）場合には（Ｓ５０２：Ｙ）、Ｓ５０３に進む。
【０１００】
画像形成装置１は、Ｓ５０３において、第１人感センサーＳ１が人を検知した（すなわち検知信号を出力した）場合には（Ｓ５０３：Ｙ）、Ｓ５０４に進み、第１人感センサーＳ１が人を検知していない（すなわち検知信号を出力していない）場合には（Ｓ５０３：Ｎ）、Ｓ５０３の判定を継続する。
【０１０１】
画像形成装置１は、第１人感センサーＳ１が人を検知した（すなわち検知信号を出力した）場合には（Ｓ５０３：Ｙ）、スイッチＳＷ−Ｓ２〜Ｓ４をＯＮに切り替えて（Ｓ５０４）、通電が停止されていた第２人感センサーＳ２、原稿検知センサーＳ３、圧板センサーＳ４のそれぞれへの通電を開始して動作状態に更新する。
【０１０２】
次に、画像形成装置１は、動作状態にある第２人感センサーＳ２が人を検知した（すなわち検知信号を出力した）場合には（Ｓ５０５：Ｙ）、Ｓ５０６に進み、第２人感センサーＳ２が人を検知していない（すなわち検知信号を出力していない）場合には（Ｓ５０５：Ｎ）、Ｓ５０５の判定を継続する。
【０１０３】
画像形成装置１は、第２人感センサーＳ２が人を検知した（すなわち検知信号を出力した）場合には（Ｓ５０５：Ｙ）、コントローラ１０の節電モードを解除するとともに、スイッチＳＷ−１とスイッチＳＷ−２をＯＮに切り替えて、操作パネル２０をＯＮ（すなわち通電状態に）する（Ｓ５０６）。
【０１０４】
次いで、画像形成装置１は、スイッチＳＷ−５をＯＮに切り替えて、画像形成部４０の制御部を立ち上げる（Ｓ５０７）。具体的には、画像形成部４０の制御部は、ＲＯＭ４０３に記憶されるプログラムを、ＤＲＡＭ４０２にコピーする。画像形成装置１は、コントローラ１０からの節電復帰要求がない場合には、画像形成部４０のＣＰＵ４０１は、ＤＲＡＭ４０２をセルフリフレッシュモードに移行し、ＣＰＵ４０１のクロック停止や一部領域の電源をオフして消費電力を下げる節電モードに移行する（Ｓ５０８）。
【０１０５】
次に、画像形成装置１は、動作状態にある原稿検知センサーＳ３又は圧板センサーＳ４が検知信号を出力した場合には（Ｓ５０９：Ｙ）、Ｓ５１０に進み、原稿検知センサーＳ３又は圧板センサーＳ４が検知信号を出力していない場合には（Ｓ５０９：Ｎ）、Ｓ５０９の判定を継続する。
【０１０６】
画像形成装置１は、動作状態にある原稿検知センサーＳ３又は圧板センサーＳ４が検知信号を出力した場合には（Ｓ５０９：Ｙ）、スイッチＳＷ−３をＯＮに切り替えて、画像読取部３０をＯＮ（すなわち通電状態に）する（Ｓ５１０）。
【０１０７】
また、画像形成装置１は、Ｓ５０２において、第１人感センサーＳ１がＯＮでない（すなわち、人感センサーが無効化されている）場合には（Ｓ５０２：Ｎ）、Ｓ５１１に進む。
【０１０８】
画像形成装置１は、Ｓ５１１において、原稿検知センサーＳ３又は圧板センサーＳ４が検知信号を出力した場合には（Ｓ５１１：Ｙ）、Ｓ５１２に進み、原稿検知センサーＳ３又は圧板センサーＳ４が検知信号を出力していない場合には（Ｓ５１１：Ｎ）、Ｓ５１１の判定を継続する。
【０１０９】
画像形成装置１は、Ｓ５１１において、原稿検知センサーＳ３又は圧板センサーＳ４が検知信号を出力した場合には（Ｓ５１１：Ｙ）、コントローラ１０の節電モードを解除するとともに、スイッチＳＷ−１〜３をＯＮに切り替えて、操作パネル２０、画像読取部３０をＯＮ（すなわち通電状態に）する（Ｓ５１２）。
【０１１０】
次いで、画像形成装置１は、スイッチＳＷ−５をＯＮに切り替えて、画像形成部４０の制御部を立ち上げる（Ｓ５１３）。その後、画像形成装置１は、コントローラ１０からの節電復帰要求がない場合には、画像形成部４０のＣＰＵ４０１は、ＤＲＡＭ４０２をセルフリフレッシュモードに移行し、ＣＰＵ４０１のクロック停止や一部領域の電源をオフして消費電力を下げる節電モードに移行する（Ｓ５１４）。
【０１１１】
画像形成装置１は、Ｓ５１０の後又はＳ５１４の後に、操作パネル２０を介して操作を受け付け（Ｓ５１５）、受け付けた操作がコピー操作である場合には（Ｓ５１６：Ｙ）、スイッチＳＷ−４をＯＮに切り替えて、画像形成部４０をＯＮ（すなわち通電状態）にして節電モードから復帰させた上で（Ｓ５１７）、コピー処理を実行し（Ｓ５１８）、受け付けた操作がコピー操作でない場合には（Ｓ５１６：Ｎ）、画像形成部４０を節電モードにしたまま、受け付けた操作に基づく処理を実行する（Ｓ５１８）。そして、画像形成装置１は、処理実行後には、図８のＳ４０１に戻る。
【０１１２】
なお、図９のフロー図において、第２人感センサーＳ２による検知の前に、原稿検知センサーＳ３又は厚板センサーからの検知信号が出力された場合には、コントローラ１０の節電モードを解除するとともに、スイッチＳＷ−１〜３をＯＮに切り替えて、操作パネル２０、画像読取部３０をＯＮ（すなわち通電状態に）することとしてよい。
【０１１３】
また、図９のフロー図において、第２人感センサーＳ２、原稿検知センサーＳ３、圧板センサーＳ４をＯＮに切り替えた後、各センサーからの検知信号が無くなった状態が予め定められた時間継続した場合には、再びスイッチＳＷ−Ｓ２〜Ｓ５をオフに切り替えることとしてもよい。
【０１１４】
以上が、第２の実施形態に係る画像形成装置１により実行される処理の一例である。第２の実施形態に係る画像形成装置１によれば、第１の実施形態に係る画像形成装置１に比べて、節電モードから画像形成部４０を復帰させるまでの時間を短縮することができる。
【０１１５】
なお、第２の実施形態においても、第１の実施形態において説明した図６に示したフローは同様に適用することができるのはいうまでもない。
【０１１６】
また、上記の実施形態では、節電モードにおいて、第１人感センサーＳ１が人を検知した場合に、第２人感センサーＳ２、原稿検知センサーＳ３、圧板センサーＳ４への電力供給を開始するようにしたが、第１人感センサーＳ１が人を検知した場合に、まず第２人感センサーＳ２への電力供給を開始し、その後、第２人感センサーＳ２が人を検知した場合に、原稿検知センサーＳ３、圧板センサーＳ４への電力供給を開始するようにしてもよい。
【０１１７】
また、本発明は上記の実施形態に限定されない。例えば、画像形成装置１には、ＦＡＸ機能等の他の機能を備えることとしてもよく、その場合にも本発明を同様に適用できることはもちろんである。
【符号の説明】
【０１１８】
１  画像形成装置、Ｅ１，Ｅ２  電源、１０  コントローラ、２０  操作パネル、３０  画像読取部、４０  画像形成部、Ｓ１  第１人感センサー、Ｓ２  第２人感センサー、Ｓ３  原稿検知センサー、Ｓ４  圧板センサー、Ｐ  電源プラグ、ＡＣ  交流電源、ＳＷ−Ｍ  メインスイッチ、ＳＷ−１〜５，ＳＷ−Ｓ１〜４  スイッチ、１００  ＣＰＵ、１０１  ＤＲＡＭ、１０２  ＲＯＭ、１０３  ＨＤＤ、１０４  ネットワークインターフェース、１０５  電源制御回路、１０６  Ｉ／Ｏ回路、４００  制御部、４０１  ＣＰＵ、４０２  ＤＲＡＭ、４０３  ＲＯＭ、４１０  プリントエンジン、４２０  電源切替回路。
【図１】
0006015589.tif 000002
【図２】
0006015589.tif 000003
【図３】
0006015589.tif 000004
【図４】
0006015589.tif 000005
【図５】
0006015589.tif 000006
【図６】
0006015589.tif 000007
【図７】
0006015589.tif 000008
【図８】
0006015589.tif 000009
【図９】
0006015589.tif 000010